(57)【要約】【課題】照射面の長辺と短辺の向きを変えて撮影を行う際に、ケーブルの劣化を防止しつつ撮影サイクルが長くなることを抑えることができるカセッテ及び放射線画像撮影システムを提供する。【解決手段】長方形状に形成されて放射線が照射される照射面３４を有するカセッテ本体２８と、電力又はデータの少なくとも一方を伝送するケーブル部３２が接続されたコネクタ部３０と、を備え、コネクタ部３０は、カセッテ本体２８に接続された状態で、照射面３４の長辺３６と短辺３８との間を移動可能に構成する。【選択図】図１
2010237357.tif 000002
【特許請求の範囲】
【請求項１】
長方形状に形成されて放射線が照射される照射面を有するカセッテ本体と、
電力又はデータの少なくとも一方を伝送するケーブル部が接続されたコネクタ部と、を備え、
前記コネクタ部は、前記カセッテ本体に接続された状態で、前記照射面の長辺と短辺との間を移動可能に構成することを特徴とするカセッテ。
【請求項２】
請求項１記載のカセッテにおいて、
前記ケーブル部が、前記コネクタ部に着脱可能に接続されていることを特徴とするカセッテ。
【請求項３】
請求項１又は２記載のカセッテにおいて、
前記コネクタ部は、回転中心をもって前記照射面と平行な方向に回転することにより、前記照射面の長辺と短辺との間で前記コネクタ部の移動を実現することを特徴とするカセッテ。
【請求項４】
請求項３記載のカセッテにおいて、
前記カセッテ本体は、前記照射面と直交する方向に延びて前記コネクタ部を支持するピン部材を有し、
前記コネクタ部は、前記ピン部材を中心に前記照射面と平行な方向に回転可能に形成されていることを特徴とするカセッテ。
【請求項５】
請求項３記載のカセッテにおいて、
前記照射面と隣り合う側面のうち前記照射面の長辺を含む長辺側側面と前記照射面の短辺を含む短辺側側面とに跨るように配設され、かつ前記コネクタ部を前記側面に沿って移動可能に支持する支持手段をさらに備えることを特徴とするカセッテ。
【請求項６】
請求項５記載のカセッテを用いる放射線画像撮影システムであって、
前記カセッテ本体に対する前記コネクタ部の相対位置を検出する位置検出手段と、
前記位置検出手段にて検出された前記コネクタ部の相対位置が所定の位置範囲内にあるか否かを判定する判定手段と、
前記判定手段の判定結果を報知する報知手段と、を備えることを特徴とする放射線画像撮影システム。
【請求項７】
請求項１〜５のいずれか１項に記載のカセッテを用いる放射線画像撮影システムであって、
カセッテ挿入口を有するカセッテ室が形成されたカセッテ支持部と、
前記カセッテ本体から前記ケーブル部を介して伝送される放射線画像情報を表示する表示部と、
前記カセッテ本体を前記カセッテ室に配置した時の前記照射面の長辺と短辺の向きを検出する方向検出手段と、
前記方向検出手段にて検出された前記照射面の長辺と短辺の向きに基づいて前記表示部に表示される放射線画像の向きを制御する画像方向制御手段と、を備えることを特徴とする放射線画像撮影システム。
【発明の詳細な説明】
【技術分野】
【０００１】
本発明は、放射線が照射されるカセッテ及び該カセッテを有する放射線画像撮影システムに関する。
【背景技術】
【０００２】
医療分野において、可搬性の向上を目的に放射線が照射される照射面が１７×１４インチのサイズ（長方形状）のカセッテが広汎（主に整形用）に利用されており、このようなサイズにより被写体の大きさ、撮影部位及び撮影手技によっては照射面の長辺と短辺の向きを変えて撮影することがある。照射面の長辺と短辺の向きを変える放射線画像撮影装置として、支持台の内部に設けられた回転テーブルにカセッテを装着した状態で、該回転テーブルを回転させるものが知られている（特許文献１参照）。
【０００３】
一方、手術室等の医療現場においては、患者に対して迅速かつ的確な処置を施すために、電力やデータを伝送するためのケーブルを有するカセッテが利用されることがある。ケーブルを有するカセッテとして、長方形状に形成された筐体の外周部に複数のコネクタを設け、前記複数のコネクタにケーブルを選択的に接続するものが知られている（特許文献２参照）。
【先行技術文献】
【特許文献】
【０００４】
【特許文献１】特開２００５−２１１２２６号公報
【特許文献２】特開２００３−０１４８５６号公報
【発明の概要】
【発明が解決しようとする課題】
【０００５】
手術室等に設置される放射線画像撮影装置（放射線画像撮影システム）では、カセッテ挿入口を有するカセッテ室が形成された撮影台を備えていることがある。このような撮影台を特許文献１の放射線画像装置に適用すると、カセッテ室に回転テーブルを設ける必要があり装置が複雑化する。
【０００６】
また、前記撮影台を備えた放射線画像撮影装置に特許文献２のカセッテを用いた場合、照射面の長辺と短辺の向きを変えてカセッテをカセッテ室に配置する際にケーブルをコネクタから一旦取り外して別のコネクタに接続することで、ケーブルの付け根部をカセッテ挿入口と対向する位置に配置させることができる。これにより、ケーブル（ケーブルの付け根部）がカセッテ室の壁面に当たって湾曲（劣化）することを防ぐことができる。しかし、ケーブルをコネクタから一旦取り外すと、カセッテへの電力の供給やカセッテとコンソール等の間のデータ伝送が遮断されるので、カセッテの電源が切れたりカセッテとコンピュータ等の間で伝送されるデータに異状が認められたりすることがある。従って、照射面の長辺と短辺の向きを変えて撮影を行う場合には、カセッテの再起動時間やデータ伝送の待ち時間が生じて撮影サイクルが長くなるおそれがある。
【０００７】
そこで、本発明は、照射面の長辺と短辺の向きを変えて撮影を行う際に、ケーブルの劣化を防止しつつ撮影サイクルが長くなることを抑えることが可能なカセッテ及び放射線画像撮影システムを提供することを目的とする。
【課題を解決するための手段】
【０００８】
本発明のカセッテは、長方形状に形成されて放射線が照射される照射面を有するカセッテ本体と、電力又はデータの少なくとも一方を伝送するケーブル部が接続されたコネクタ部と、を備え、前記コネクタ部は、前記カセッテ本体に接続された状態で、前記照射面の長辺と短辺との間を移動可能に構成することにより、上述した課題を解決する。
【０００９】
例えばカセッテ室にカセッテ本体を配置した場合、照射面の長辺又は短辺のいずれか一方がカセッテ挿入口に指向する。そして、前記照射面の長辺と短辺の向きを変えてカセッテ本体をカセッテ室に配置した場合、該照射面の長辺又は短辺のいずれか他方がカセッテ挿入口に指向する。本発明のカセッテによれば、コネクタ部が照射面の長辺と短辺との間を移動するので、前記照射面の長辺がカセッテ挿入口に指向している場合には該照射面の短辺に、前記照射面の短辺がカセッテ挿入口に指向している場合には該照射面の長辺にコネクタ部をそれぞれ変更配置させることができる。これにより、照射面の長辺と短辺の向きを変えてカセッテ本体をカセッテ室に配置した際にコネクタ部とケーブル部との接続部分をカセッテ挿入口と対向する位置に配置させることができるので、ケーブル部がカセッテ室の壁面に当たって湾曲することがない。よって、ケーブル部の劣化を防止することができる。また、コネクタ部をカセッテ本体に接続した状態でコネクタ部を移動しているので、カセッテ本体への電力の供給やカセッテ本体とコンソール等の間のデータ伝送が遮断されて、カセッテの再起動時間やデータ伝送の待ち時間が生じることがない。従って、照射面の長辺と短辺の向きを変えて撮影を行う場合に撮影サイクルが長くなることを抑制することができる。
【００１０】
本発明のカセッテの一実施形態においては、前記ケーブル部が、前記コネクタ部に着脱可能に接続されていてもよい。この形態によれば、コネクタ部からケーブル部を取り外すことができるので、カセッテ本体とケーブル部とを別々に持ち運ぶことができる。これにより、カセッテの可搬性を向上させることができる。
【００１１】
本発明のカセッテの一実施形態において、前記コネクタ部は、回転中心をもって前記照射面と平行な方向に回転することにより、前記照射面の長辺と短辺との間で前記コネクタ部の移動を実現してもよい。この形態によれば、回転中心をもって照射面と平行な方向にコネクタ部を回転させると、照射面に対するコネクタ部の相対位置が変更されるので、照射面の長辺と短辺との間でのコネクタ部の移動を容易に実現することができる。
【００１２】
上記形態のカセッテとしては、様々な構成が用いられる。例えば、前記カセッテ本体は、前記照射面と直交する方向に延びて前記コネクタ部を支持するピン部材を有し、前記コネクタ部は、前記ピン部材を中心に前記照射面と平行な方向に回転可能に形成されてもよい。また、別の例として、カセッテは、前記照射面と隣り合う側面のうち前記照射面の長辺を含む長辺側側面と前記照射面の短辺を含む短辺側側面とに跨るように配設され、かつ前記コネクタ部を前記側面に沿って移動可能に支持する支持手段をさらに備えてもよい。
【００１３】
本発明の放射線画像撮影システムは、カセッテと、前記カセッテ本体に対する前記コネクタ部の相対位置を検出する位置検出手段と、前記位置検出手段にて検出された前記コネクタ部の相対位置が所定の位置範囲内にあるか否かを判定する判定手段と、前記判定手段の判定結果を報知する報知手段と、を備えることにより、上述した課題を解決する。
【００１４】
カセッテを持ち運んだり照射面の長辺と短辺の向きを変えたりする際に技師がカセッテを誤って落下させることがある。この場合、カセッテは、カセッテ本体の角部を鉛直下方に向けた状態で落下することが多いため、カセッテ本体の角部は落下の衝撃を受けやすい。
【００１５】
本発明の放射線画像撮影システムでは、コネクタ部の位置が所定の位置範囲内にある場合に該コネクタの位置情報を報知するので、コネクタ部がカセッテ本体の角部に位置している時にその旨を技師等に認識させることができる。これにより、技師は、カセッテ本体の角部にコネクタ部が位置しないような処置をとることができる。よって、技師がカセッテを落下させた時にコネクタ部が破損する懸念を低減することができる。
【００１６】
本発明の放射線画像撮影システムは、カセッテと、カセッテ挿入口を有するカセッテ室が形成されたカセッテ支持部と、前記カセッテ本体から前記ケーブル部を介して伝送される放射線画像情報を表示する表示部と、前記カセッテ本体を前記カセッテ室に配置した時の前記照射面の長辺と短辺の向きを検出する方向検出手段と、前記方向検出手段にて検出された前記照射面の長辺と短辺の向きに基づいて前記表示部に表示される放射線画像の向きを制御する画像方向制御手段と、を備えることにより、上述した課題を解決する。
【００１７】
本発明の放射線画像撮影システムによれば、照射面の長辺と短辺の向きに基づいて画像方向制御手段が放射線画像の向きを制御するので、カセッテ本体の方向を変える前に撮影した放射線画像とカセッテ本体の方向を変えた後に撮影した放射線画像との向きを揃えることができる。これにより、カセッテ本体の向きを変えて撮影した場合でも放射線画像の比較を容易に行うことができる。
【発明の効果】
【００１８】
以上説明したように、本発明のカセッテ及び放射線画像撮影システムによれば、コネクタ部が照射面の長辺と短辺との間を移動するので、前記照射面の長辺がカセッテ挿入口に指向している場合には該照射面の短辺に、前記照射面の短辺がカセッテ挿入口に指向している場合には該照射面の長辺にコネクタ部をそれぞれ配置させることができる。これにより、ケーブルの劣化を防止することができる。また、コネクタ部をカセッテ本体に接続した状態でコネクタ部を移動しているので、照射面の長辺と短辺の向きを変えて撮影を行う場合に撮影サイクルが長くなることを抑えることができる。
【図面の簡単な説明】
【００１９】
【図１】第１の実施形態に係る放射線画像撮影システムの概略斜視図である。
【図２】第１の実施形態に係る移動支持機構の一部切断斜視説明図である。
【図３】図３Ａは、照射面の長辺がカセッテ挿入口に指向するようにカセッテ本体をカセッテ室に配置した状態を示す要部説明図であり、図３Ｂは、照射面の短辺がカセッテ挿入口に指向するようにカセッテ本体をカセッテ室に配置した状態を示す要部説明図である。
【図４】第１の実施形態に係る放射線画像撮影システムの放射線画像撮影の手順を説明するためのフローチャートである。
【図５】第２の実施形態に係るカセッテの概略平面説明図である。
【図６】第２の実施形態に係る移動支持機構の一部省略斜視説明図である。
【図７】第２の実施形態に係る放射線画像撮影システムの放射線画像撮影の手順を説明するためのフローチャートである。
【発明を実施するための形態】
【００２０】
以下、本発明に係る実施形態例について図１〜図７を参照しながら説明する。
【００２１】
（第１の実施形態）
先ず、本発明の第１の実施形態に係るカセッテ及び放射線画像撮影システムについて図１〜図４を参照しながら説明する。図１に示すように、放射線画像撮影システム１０は、手術室等に設置され、被写体１２が横臥する撮影台１４と、撮影条件に従った線量からなる放射線を被写体１２に照射するための放射線源１６と、被写体１２を透過した放射線を検出して放射線画像情報に変換するカセッテ１８と、放射線源１６及びカセッテ１８を制御するコンソール２０とを備えている。
【００２２】
撮影台１４は、直方体状に形成されて被写体１２と接するカセッテ支持部２２を有している。カセッテ支持部２２には、カセッテ１８を配置するためのカセッテ室２４が形成されている。カセッテ室２４は、カセッテ支持部２２の長手方向に延びた一方の側面から他方の側面に向かって窪むようにして形成されている。そのため、カセッテ支持部２２の一方の側面には、カセッテ挿入口２６が形成される。
【００２３】
カセッテ１８には、カセッテ室２４に配置されるカセッテ本体２８と、カセッテ本体２８に移動可能に設けられたコネクタ部３０と、コネクタ部３０とコンソール２０との間を結び電力及びデータを伝送するためのケーブル部３２と、を有している。
【００２４】
図２に示すように、カセッテ本体２８は、直方体状に形成されており、放射線が照射される照射面３４を有している。照射面３４は、長方形状に形成されており、例えば１７×１４インチのサイズに形成される。また、カセッテ本体２８は、照射面３４の長辺３６と短辺３８の向きを変えてカセッテ室２４に配置することができる。カセッテ本体２８には、コネクタ部３０を照射面３４の長辺３６と短辺３８との間で移動可能に支持する移動支持機構４０が設けられている。移動支持機構４０は、回転中心をもって照射面３４と平行な方向にコネクタ部３０を回転する。具体的には、移動支持機構４０は、カセッテ本体２８の角部の側面が直方体状に切り欠かれた切欠部４２と、照射面３４と直交する方向に延びてコネクタ部３０を支持するピン部材４４とを有している。切欠部４２の壁面には、照射面３４の長辺３６に沿って窪んだ長辺側凹部４６と、照射面３４の短辺３８に沿って窪んだ短辺側凹部４８が形成されている。各凹部４６、４８は、略同一の形状を有している。ピン部材４４は、円柱状に形成されて切欠部４２の略中央に位置している。
【００２５】
コネクタ部３０は、直方体状に形成されたコネクタ本体５０と、コネクタ本体５０の長手方向の端部に設けられて各凹部４６、４８に嵌合可能な突出部５２とを有している。なお、これは、コネクタ部３０をカセッテ本体２８に固定させるための機構であって、電線接続を行うものではない。コネクタ本体５０には、ピン部材４４が挿通される貫通孔５４が形成され、貫通孔５４はコネクタ本体５０の長手方向に縦長に形成されている。貫通孔５４の縦方向の間隔は、コネクタ本体５０がその長手方向に移動することができる程度の大きさに設定され、貫通孔５４の横方向の間隔は、コネクタ本体５０がピン部材４４を中心に回転することができる程度の大きさに設定されている。また、コネクタ本体５０には、カセッテ本体２８をカセッテ室２４に配置した時の照射面３４の長辺３６と短辺３８の向きを検出する方向検出手段としての方向検出センサ５６が設けられている（図３Ａ、図３Ｂ参照）。方向検出センサ５６としては、例えば、ピン部材４４に対するコネクタ本体５０の回転角度を検出するものが用いられる。なお、カセッテ本体２８とコネクタ本体５０とは、図示しない電線により常時繋がっている。電線としては、例えば螺旋状に形成されたものを利用することができる。これにより、電線をある程度柔軟（フレキシブル）に動かすことができるので、コネクタ本体５０の動きに電線を追従させることができる。
【００２６】
ケーブル部３２は、突出部５２とは反対側のコネクタ本体５０の端部に着脱自在に設けられた接続部５８と、接続部５８に固定されたケーブル６０とを有する。ケーブル６０の長さは、任意に設定してよい。
【００２７】
コンソール２０は、被写体１２の放射線画像を表示する表示部６２と、表示部６２に表示する放射線画像の向きを制御する画像方向制御部６４を有している（図３Ａ、図３Ｂ参照）。
【００２８】
次に、照射面３４の長辺３６と短辺３８の向きを変えた時のコネクタ部３０の動作について図３Ａ及び図３Ｂを参照しながら説明する。ここでは、照射面３４の長辺３６がカセッテ挿入口２６に指向するようにカセッテ本体２８をカセッテ室２４に配置した第１状態（図３Ａのような状態）から照射面３４の短辺３８がカセッテ挿入口２６に指向するようにカセッテ本体２８をカセッテ室２４に配置した第２状態（図３Ｂのような状態）になるように照射面３４の長辺３６と短辺３８の向きを変えた例について説明する。なお、第２状態から第１状態になるように照射面３４の長辺３６と短辺３８の向きを変えた例についての説明は以下に示す説明と同様であるので省略する。
【００２９】
図３Ａに示すように、第１状態では、コネクタ部３０が照射面３４の短辺３８に位置し、かつ突出部５２が長辺側凹部４６に嵌合している。これにより、照射面３４と平行な方向のコネクタ部３０の回転が阻止される。この場合、接続部５８がカセッテ挿入口２６と対向している。続いて、第１状態から第２状態になるように照射面３４の長辺３６と短辺３８の向きを変える時には、ケーブル部３２をコネクタ部３０に接続した状態で、コネクタ部３０を接続部５８側に引き出して突出部５２を長辺側凹部４６から取り外した上で、コネクタ部３０を照射面３４と平行な方向（図３Ａ及び図３Ｂの例では反時計方向）に９０°だけ回転させる。これにより、コネクタ部３０が照射面３４の長辺３６に位置して接続部５８がカセッテ挿入口２６と対向する。そして、コネクタ部３０を突出部５２の突出方向に押し込んで突出部５２を短辺側凹部４８に嵌合させる。
【００３０】
次に、図４のフローチャートを参照しながら第１の実施形態に係る放射線画像撮影システム１０の放射線画像撮影の手順について説明する。
【００３１】
先ず、ステップＳ１において、技師は撮影部位がカセッテ室２４の上方に配置されるように被写体１２の位置を設定する。この時、技師は、撮影部位の大きさによってカセッテ室２４に配置するカセッテ本体２８の照射面３４の長辺３６と短辺３８の向きを選択する。
【００３２】
次に、ステップＳ２において、技師は、ステップＳ１で選択された照射面３４の長辺３６と短辺３８の向きに基づいてコネクタ部３０の位置を設定する。この時、技師は、前回の撮影で選択された照射面３４の長辺３６と短辺３８の向きと異なる場合にのみコネクタ部３０を照射面３４と平行な方向に回転する。
【００３３】
次いで、ステップＳ３において、技師は、カセッテ本体２８をカセッテ室２４に配置する。
【００３４】
その後、ステップＳ４において、方向検出センサ５６は、カセッテ室２４に配置されたカセッテ本体２８の照射面３４の長辺３６と短辺３８の向きを検出する。
【００３５】
さらに、ステップＳ５において、コンソール２０は、撮影条件に従った線量の放射線を被写体１２に照射する。この時、カセッテ本体２８は、被写体１２を透過した放射線を検出して放射線画像情報に変換する。
【００３６】
その後、ステップＳ６において、表示部６２は、放射線画像を表示する。この時、表示部６２に表示される放射線画像の向きは画像方向制御部６４にて制御される。画像方向制御部６４は、方向検出センサ５６の出力信号を参照して取得した照射面３４の長辺３６と短辺３８の向きに基づいて放射線画像の向きを制御する。ステップＳ６の処理後、今回の放射線画像撮影を終了する。
【００３７】
本実施形態のカセッテ１８においては、コネクタ部３０がピン部材４４を中心に照射面３４と平行な方向に回転するので、照射面３４の長辺３６と短辺３８との間でコネクタ部３０を移動させることができる。これにより、照射面３４の長辺３６がカセッテ挿入口２６に指向している場合には照射面３４の短辺３８に、照射面３４の短辺３８がカセッテ挿入口２６に指向している場合には照射面３４の長辺３６にコネクタ部３０をそれぞれ配置させることができる。そのため、照射面３４の長辺３６と短辺３８の向きを変えてカセッテ本体２８をカセッテ室２４に配置した際に接続部５８をカセッテ挿入口２６と対向する位置に配置させることができるので、ケーブル部３２がカセッテ室２４の壁面に当たって湾曲することがない。よって、ケーブル部３２の劣化を防止することができる。また、コネクタ部３０を介してケーブル部３２とカセッテ本体２８とが接続された状態でコネクタ部３０を回転させているので、カセッテ本体２８への電力の供給やカセッテ本体２８とコンソール２０の間のデータ伝送が断切されてカセッテ１８の再起動時間やデータ伝送の待ち時間が生じることがない。従って、照射面３４の長辺３６と短辺３８の向きを変えて撮影を行う場合に撮影サイクルが長くなることを抑えることができる。
【００３８】
また、本実施形態のカセッテ１８においては、接続部５８がコネクタ部３０に着脱可能に接続されているので、カセッテ１８を持ち運ぶ際に接続部５８をコネクタ部３０から取り外して、カセッテ本体２８とケーブル部３２とを別々にすることができる。これにより、カセッテ１８の可搬性を向上させることができる。
【００３９】
本実施形態の放射線画像撮影システム１０においては、方向検出センサ５６にて照射面３４の長辺３６と短辺３８の向きを検出し、その検出された情報に基づいて画像方向制御部６４が表示部６２に表示する放射線画像の方向を選択し、表示部６２がその選択された方向で放射線画像を表示している。そのため、照射面３４の長辺３６と短辺３８の向きを変える前に撮影した放射線画像と照射面３４の長辺３６と短辺３８の向きを変えた後に撮影した放射線画像との向きを揃えることができる。これにより、照射面３４の長辺３６と短辺３８の向きを変えて撮影した場合でも放射線画像の比較を容易に行うことができる。
【００４０】
（第２の実施形態）
次に、第２の実施形態に係るカセッテ及び放射線画像撮影システムについて図５〜図７を参照しながら説明する。なお、第２の実施形態は、第１の実施形態と共通する構成には同一の参照符号を付して説明を省略する。
【００４１】
第２の実施形態は、カセッテ本体２２８、移動支持機構２４０、コネクタ部２３０及びコンソール２２０の構成が第１の実施形態と異なり、第１の実施形態の方向検出センサ５６に換えて位置検出センサ２５６が用いられる。具体的には、カセッテ本体２２８は、その角部が湾曲するように形成されている。移動支持機構２４０は、カセッテ本体２２８の側面を一周するようにして設けられ、かつカセッテ本体２２８の側面に沿って移動可能にコネクタ部２３０を支持する支持手段としての支持部材７０を備えている。支持部材７０としては、照射面２３４と直交する方向に窪む一対の凹部７２、７２が形成されたレールを用いることができる。コネクタ部２３０には、その長手方向の端部に支持部材７０に係合する係合部７４が設けられている。係合部７４には、レールの一対の凹部７２、７２に嵌合する一対の爪７６、７６が形成されてもよい。これにより、レールの一対の凹部７２、７２に一対の爪７６、７６が嵌合した状態でコネクタ部２３０を側面に沿って移動させることができる。位置検出センサ２５６は、カセッテ本体２２８の側面に配置されて所定の信号を発信する発信部７８と、発信部７８から発信された信号を受信する受信部８０とを有する。発信部７８は、複数設けられており、本実施形態では第１〜第４発信部８２、８４、８６、８８が用いられる。詳しくは、照射面２３４の長辺２３６を含む長辺側側面９０に第１発信部８２及び第２発信部８４を設け、照射面２３４の短辺２３８を含む短辺側側面９２に第３発信部８６及び第４発信部８８が設けられている。つまり、図５からも諒解できるように、時計回り方向の順に第１発信部８２、第２発信部８４、第３発信部８６、第４発信部８８が並んでいる。なお、第１発信部８２と第２発信部８４との間の間隔は、第３発信部８６と第４発信部８８との間の間隔と略同一に設定されている。また、各発信部８２、８４、８６、８８から発信される信号はそれぞれ異なっている。そのため、この位置検出センサ２５６は、受信部８０が受信した信号の種類によってコネクタ部２３０の位置を検出することができる。なお、本実施形態では、コネクタ部２３０とケーブル６０とが一体に形成されている。
【００４２】
コンソール２２０は、表示部６２と画像方向制御部６４に加えて、位置判定部９４と報知部９６とを備えている。位置判定部９４は、コネクタ部２３０が所定の位置範囲内にあるか否かを判定する。報知部９６は、位置判定部９４にて判定された結果を報知する。
【００４３】
次に、図７を参照しながら第２の実施形態に係る放射線画像撮影システムの放射線画像撮影の手順について説明する。今回の撮影手順においては、ステップＳ２１、ステップＳ２３及びステップＳ２５が第１の実施形態のステップＳ１、ステップＳ３及びステップＳ５にそれぞれ対応しているので、その説明を省略する。
【００４４】
ステップＳ２１の後、ステップＳ２２において、技師は、ステップＳ２１で選択された照射面２３４の長辺２３６と短辺２３８の向きに基づいてコネクタ部２３０の位置を設定する。この時、技師は、支持部材７０に支持されているコネクタ部２３０をカセッテ本体２２８の側面に沿って移動する。この場合、照射面２３４の長辺２３６がカセッテ挿入口２６に指向するようにカセッテ本体２２８をカセッテ室２４に配置する時にはコネクタ部２３０を短辺側側面９２と対向する位置に配置し、照射面２３４の短辺２３８がカセッテ挿入口２６と指向するようにカセッテ本体２２８をカセッテ室２４に配置する時にはコネクタ部２３０を長辺側側面９０と対向する位置に配置する。なお、コネクタ部２３０を配置する位置は、発信部７８の信号を受信部８０が受信できる位置に設定することが好ましい。
【００４５】
その後、ステップＳ２７において、位置判定部９４は、カセッテ本体２２８に対するコネクタ部２３０の相対位置が所定範囲内にあるか否かを判定する。所定範囲としては、カセッテ本体２２８の角部近傍に設定されるが、第２発信部８４と第３発信部８６との間の区間に設定してもよい。肯定判定の場合にはステップＳ２８に進み、否定判定の場合にはステップＳ２３に進む。
【００４６】
ステップＳ２８において、報知部９６は、位置判定部９４にて判定された結果を報知する。その後、本実施形態の撮影手順は、ステップＳ２２に戻る。
【００４７】
ステップＳ２３に続くステップＳ２４において、位置検出センサ２５６は、カセッテ本体２２８に対するコネクタ部２３０の相対位置を検出する。詳しくは、コンソール２２０は、位置検出センサ２５６にて検出されるコネクタ部２３０の相対位置情報からカセッテ室２４に配置されるカセッテ本体２２８の照射面２３４の長辺２３６と短辺２３８の向きを算出する。
【００４８】
ステップＳ２５に続くステップＳ２６において、表示部６２は、放射線画像を表示する。この時、表示部６２に表示される放射線画像の向きは画像方向制御部６４にて制御される。画像方向制御部６４は、照射面２３４の長辺２３６と短辺２３８の向きに基づいて放射線画像の向きを制御する。照射面２３４の長辺２３６と短辺２３８の向きは、位置検出センサ２５６の出力信号を参照して取得されるカセッテ本体２２８に対するコネクタ部２３０の相対位置に基づいて得ることができる。ステップＳ２６の処理後、今回の放射線画像撮影を終了する。
【００４９】
カセッテを持ち運んだり照射面の長辺と短辺の向きを変えたりする際に技師がカセッテを誤って落下させることがある。この場合、カセッテは、カセッテ本体の角部を鉛直下方に向けた状態で落下することが多いため、カセッテ本体の角部は落下の衝撃を受けやすい。本実施形態では、カセッテ本体２２８に対するコネクタ部２３０の相対位置がカセッテ本体２２８の角部近傍にある場合に判定結果を報知するので、コネクタ部２３０がカセッテ本体２２８の角部近傍に位置していることを技師に認識させることができる。これにより、技師は、カセッテ本体２２８の角部にコネクタ部２３０が位置しないような処置をとることができる。よって、技師がカセッテ２１８を落下させた時にコネクタ部２３０が破損する懸念を低減することができる。
【００５０】
本実施形態は、支持部材をカセッテ本体の側面を一周するように設けた例に限らない。支持部材は、長辺側側面と短辺側側面とを跨るように配置する範囲であれば任意に変更することができる。
【００５１】
以上、本発明について好適な実施形態を例示して詳細に説明したが本発明はこの実施形態に限定されるものではなく、本発明の要旨を逸脱しない範囲において種々の変更が可能であることは言うまでもない。
【符号の説明】
【００５２】
１０…放射線画像撮影システム
１２…被写体
１４…撮影台
１６…放射線源
１８、２１８…カセッテ
２０、２２０…コンソール
２２…カセッテ支持部
２４…カセッテ室
２６…カセッテ挿入口
２８、２２８…カセッテ本体
３０、２３０…コネクタ部
３２…ケーブル部
３４、２３４…照射面
３６、２３６…長辺
３８、２３８…短辺
４４…ピン部材
５６…方向検出センサ（方向検出手段）
６２…表示部
６４…画像方向制御部
７０…支持部材（支持手段）
９０…長辺側側面
９２…短辺側側面
２５６…位置検出センサ（位置検出手段）
【図１】
2010237357.tif 000003
【図２】
2010237357.tif 000004
【図３】
2010237357.tif 000005
【図４】
2010237357.tif 000006
【図５】
2010237357.tif 000007
【図６】
2010237357.tif 000008
【図７】
2010237357.tif 000009